(57)【要約】【課題】カードの印字面と搬送方向とを間違うことなく、所定の装置にカードをセットできるカード帯掛け体及び識別シートを提供する。【解決手段】カード帯掛け体１００は、その表面１０ａに磁気ストライプ１１ａ，１１ｂを有し、その裏面１０ｂに識別番号１２を有するカード群１０と、カード群１０の最表面に配置され、カード群１０の表面１０ａを覆う大きさを有し、その表面２０ａには、カード群１０の表面１０ａの印字面を識別させる印字面表示部２１と、カード群１０の搬送方向を示すストライプ表示部２２とを有し、その裏面２０ｂには、カード群１０の識別番号１２に対応する所定の対応番号２３が示されている識別シート２０と、カード群１０と識別シート２０とを纏めて帯掛けするために、その一端付近が他端付近に剥離可能に熱圧着され、その端辺３０ａに、熱圧着部分３１を剥離するキッカケとなる剥離開始部３２が形成された帯状体３０等とを備えている。【選択図】図１
2006027669.tif 000002
【特許請求の範囲】
【請求項１】
積み重ねられ、その表面が印字面であり、その搬送方向によって、異なる情報が記録される記録領域を有するカード群と、
前記カード群の表面を覆う大きさを有し、前記カード群の最表面に配置され、前記カード群の前記印字面と前記搬送方向とを識別させる表示部を有する識別シートと、
その一端付近が他端付近に剥離可能に接着され、前記カード群と前記識別シートとを纏めて帯掛けする帯状体と、
を備えたカード帯掛け体。
【請求項２】
請求項１に記載のカード帯掛け体において、
前記帯状体は、その端辺に剥離するキッカケとなる剥離開始部が形成されていること、
を特徴とするカード帯掛け体。
【請求項３】
請求項１又は請求項２に記載のカード帯掛け体において、
前記帯状体は、その縁辺に切断するキッカケとなる切断開始部が形成されていること、
を特徴とするカード帯掛け体。
【請求項４】
請求項１から請求項３までのいずれか１項に記載のカード帯掛け体において、
前記帯状体は、透明なフィルムであること、
を特徴とするカード帯掛け体。
【請求項５】
請求項１から請求項４までのいずれか１項に記載のカード帯掛け体において、
前記カード群の前記記録領域は、磁気ストライプであること、
を特徴とするカード帯掛け体。
【請求項６】
請求項１から請求項５までのいずれか１項に記載のカード帯掛け体において、
前記カード群は、その裏面に識別番号が表示されていること、
を特徴とするカード帯掛け体。
【請求項７】
請求項６に記載のカード帯掛け体において、
前記識別シートは、その裏面に前記カード群の前記識別番号に対応する所定の番号が示されていること、
を特徴とするカード帯掛け体。
【請求項８】
積み重ねられ、その表面が印字面であり、その搬送方向によって、異なる情報が記録される記録領域を有するカード群を、その一端付近が他端付近に剥離可能に接着された帯状体で帯掛けするときに用いられる識別シートにおいて、
前記カード群の表面を覆う大きさを有し、前記カード群の最表面に配置され、前記カード群の前記印字面と前記搬送方向とを識別させる表示部を有すること、
を特徴とする識別シート。
【発明の詳細な説明】
【技術分野】
【０００１】
本発明は、キャッシュカード、クレジットカード等を帯掛けしたカード帯掛け体及び識別シートに関するものである。
【背景技術】
【０００２】
従来、この種のカード帯掛け体に含まれるカードは、銀行では、クレジットカードとして用いられる。カードは、１つの銀行内でもデザイン、キャラクター等が異なるので、新規口座を申し込んだお客様の希望に合わせたカードを作成するためには、発行センターで、カードの磁気記録部にお客様の識別情報（口座番号、氏名、暗証番号等）を記録（いわゆるエンコード）し、さらに、お客様の希望したデザイン、キャラクター等を印刷していた。
【０００３】
特許文献１は、クレジットカードを即時発行する方法として、加盟店に、カード情報が記録されていない状態のカードを保管し、カードを発行する際には、加盟店に設置された所定の記録装置に、クレジット会社が通信回線を介して、カード情報を送信し、その後に、加盟店の店員等が、記録装置にカードをセットすることにより、カードの磁気記録部にカード情報をエンコードし、さらに、カードの情報表示部に有効期限等の情報をエンボスで表示して、カードを発行する方法を開示している。
【０００４】
特許文献１の方法では、デザインの異なるカードを即時発行しようとすると、予め複数種類のデザイン化されたカードを余分に用意する必要がある。しかし、お客様が希望するデザインは、個人の嗜好によるので、デザイン毎にカードを必要数だけ予め用意することは困難となり、余分に在庫を抱えることは、コスト面やセキュリティ面で望ましくない。
【０００５】
【特許文献１】特開平１１−３４８４６６号公報
【発明の開示】
【発明が解決しようとする課題】
【０００６】
本件発明者は、カード発行会社において、その表面が印字面であるカードを、カードフォトプリンター（以下、プリンターという）を兼ねた記録装置にセットして、印字とエンコードを行うことによって、デザイン、キャラクター等が異なるカードを即時発行するという着想を得た。
最近では、２つの磁気ストライプ（いわゆるダブルストライプ）を有するカードが広く普及している。このカードのダブルストライプは、ＡＴＭにおいて、共有の磁気ヘッドにより、その識別情報が読み込まれるので、カードをＡＴＭに挿入（搬送）する方向を１８０°異なるようにすることで、例えば、銀行キャッシュカードの場合、キャッシュカード用とローンカード用とを使い分けることができる。
このため、このダブルストライプのカードを即時発行しようとすると、行員等がカードの印字面やカードを記録装置に搬送する正しい方向（搬送方向）を確認して、カードを記録装置にセットすることになるので、以下に示すような問題があった。
（１）印字される前のカードは、単一色（例えば、白）であるので、カードの印字面と搬送方向とを判別することは困難であり、カードの印字面と搬送方向とを間違えて、カードを記録装置にセットしまい、正常に印字やエンコードを行うことができないことがある。
（２）正常にエンコードされていないカードが、お客様に手渡された場合には、そのカードを使用できないこと、使用できたとしても、ＡＴＭ等で口座から現金を引き出しているつもりがキャッシングをしてしまう等の不具合が生じる可能性がある。
本発明の課題は、カードの印字面と搬送方向とを間違うことなく、所定の装置にカードをセットできるカード帯掛け体及び識別シートを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、積み重ねられ、その表面（１０ａ）が印字面であり、その搬送方向によって、異なる情報が記録される記録領域（１１ａ，１１ｂ）を有するカード群（１０）と、前記カード群（１０）の表面（１０ａ）を覆う大きさを有し、前記カード群（１０）の最表面に配置され、前記カード群（１０）の前記印字面と前記搬送方向とを識別させる表示部（２１，２２）を有する識別シート（２０）と、その一端付近が他端付近に剥離可能に接着され、前記カード群（１０）と前記識別シート（２０）とを纏めて帯掛けする帯状体（３０）と、を備えたカード帯掛け体である。
【０００８】
請求項２の発明は、請求項１に記載のカード帯掛け体において、前記帯状体（３０）は、その端辺（３０ａ）に剥離するキッカケとなる剥離開始部（３２）が形成されていること、を特徴とするカード帯掛け体である。
【０００９】
請求項３の発明は、請求項１又は請求項２に記載のカード帯掛け体において、前記帯状体（３０）は、その縁辺（３０ｂ）に切断するキッカケとなる切断開始部（３３）が形成されていること、を特徴とするカード帯掛け体である。
【００１０】
請求項４の発明は、請求項１から請求項３までのいずれか１項に記載のカード帯掛け体において、前記帯状体（３０）は、透明なフィルムであること、を特徴とするカード帯掛け体である。
【００１１】
請求項５の発明は、請求項１から請求項４までのいずれか１項に記載のカード帯掛け体において、前記カード群（１０）の前記記録領域（１１ａ，１１ｂ）は、磁気ストライプであること、を特徴とするカード帯掛け体である。
【００１２】
請求項６の発明は、請求項１から請求項５までのいずれか１項に記載のカード帯掛け体において、前記カード群（１０）は、その裏面（１０ｂ）に識別番号（１２）が表示されていること、を特徴とするカード帯掛け体である。
【００１３】
請求項７の発明は、請求項６に記載のカード帯掛け体において、前記識別シート（２０）は、その裏面（２０ｂ）に前記カード群（１０）の前記識別番号（１２）に対応する所定の番号（２３）が示されていること、を特徴とするカード帯掛け体である。
【００１４】
請求項８の発明は、積み重ねられ、その表面（１０ａ）が印字面であり、その搬送方向によって、異なる情報が記録される記録領域（１１ａ，１１ｂ）を有するカード群（１０）を、その一端付近が他端付近に剥離可能に接着された帯状体（３０）で帯掛けするときに用いられる識別シートにおいて、前記カード群（１０）の表面（１０ａ）を覆う大きさを有し、前記カード群（１０）の最表面に配置され、前記カード群（１０）の前記印字面と方向とを識別させる表示部（２１，２２）を有すること、を特徴とする識別シートである。
【発明の効果】
【００１５】
本発明のカード帯掛け体は、（１）カード群の最表面に配置された識別シートが、カード群の表面を覆う大きさを有しているので、所定の装置にカード群をセットする場合に、カード群の印字面に作業者等の指が触れることがないので、カード群の印字面の印字適性が低下しないようにできる。
また、識別シートは、カード群の印字面と搬送方向とを識別させる表示部を有するので、カード群の印字面と搬送方向とを間違うことなく、所定の装置にカード群をセットすることができる。
さらに、カード群と識別シートとは、その一端付近が他端付近に剥離可能に接着された帯状体により、纏めて帯掛けされているので、作業者等は、その指を識別シートに触れた状態で、帯状体を剥離することができる。
【００１６】
（２）帯状体は、その端辺に剥離するキッカケとなる剥離開始部が形成されているので、剥離開始部をキッカケとして、帯状体を容易に剥離することができる。
【００１７】
（３）帯状体は、その縁辺に切断するキッカケとなる切断開始部が形成されているので、帯状体の剥離が困難である場合にも、切断開始部をキッカケとして、帯状体を確実に切断することができる。
【００１８】
（４）識別シートは、その裏面にカード群の識別番号に対応する所定の番号が示されているので、所定の帯掛け機を用いて、カード群を帯掛けする場合には、カード群の印字面と搬送方向とを間違うことなく、帯掛けできる。
【発明を実施するための最良の形態】
【００１９】
本発明は、カードの印字面と搬送方向とを間違うことなく、所定の装置にカードをセットするという目的を、カード群の表面を覆う大きさを有し、カード群の表面の印字面と搬送方向とを識別させる表示部を有する識別シートを、カード群の最表面に配置し、帯状体の一端付近を他端付近に剥離可能に接着して、カード群と識別シートとを纏めて帯掛けすることによって実現する。
【実施例】
【００２０】
以下、図面等を参照して、本発明の実施例について、さらに詳しく説明する。
図１は、本発明によるカード帯掛け体１００を模式的に示す図である。なお、図１（ａ）は、カード帯掛け体１００の断面図であり、図１（ｂ）は、上面図である。
カード帯掛け体１００は、積み重ねられたカード群（以下、カードという）１０と、カード１０の最表面に配置された識別シート２０と、このカード１０と識別シート２０とを帯掛けする帯状体３０等とを備えている。
【００２１】
帯状体３０は、透明なフィルムであって、カード１０と識別シート２０とを纏めて帯掛けするために、所定の帯掛け機４０（図４参照）により、その一端付近が他端付近に剥離可能に熱圧着（又は熱融着）され、熱圧着部分３１が形成されている。
この熱圧着部分３１は、その長さが帯状体３０の端辺３０ａによりも小さく、狭い範囲に形成されている。
【００２２】
帯状体３０は、その端辺３０ａに、熱圧着部分３１を剥離するキッカケとなる剥離開始部３２が形成されている。この剥離開始部３２は、帯状体３０の一端付近であって、熱圧着されていない部分であり、例えば、作業者の爪により引っ掛けられる程度の長さを有している。
作業者（例えば、銀行であれば、行員）は、この剥離開始部３２をキッカケとして、熱圧着部分３１を容易に剥離することができる。
【００２３】
帯状体３０は、その縁辺３０ｂに、帯状体３０を切断するキッカケとなる切断開始部３３が形成されている。この切断開始部３３は、帯状体３０の縁辺３０ｂの両側（又は片側）に所定間隔、所定の長さで形成された切込みである。
作業者は、帯状体３０が強固に熱圧着され、熱圧着部分３１の剥離が困難である場合には、切込みである切断開始部３３をキッカケとして、帯状体３０を、この切込み方向に沿って、確実に切断することができる。
【００２４】
また、帯状体３０は、透明なフィルムであるので、作業者は、識別シート２０の印字面表示部２１とストライプ表示部２２とを透かして視認することができ（図３参照）、カード１０の印字面と搬送方向とを容易に認識できるので、不図示のカードフォトプリンターや所定の記録装置（以下、説明の便宜上、これらの総称をカード記録装置とする）にカード１０を供給するためのフィーダ５０（図５参照）に、カード１０を正しくセットすることができる（詳細は、後述）。また、帯状体３０は、透明なフィルムであるので、紙のようにカスが出ず、識別シート２０の印字面表示部２１及びストライプ表示部２２の印字品質を損なうことがない。
【００２５】
図２は、カード１０を模式的に示す図である。なお、図２（ａ）は、カード１０の表面１０ａを示し、図２（ｂ）は、カード１０の裏面１０ｂを示している。
カード１０は、カード記録装置により、昇華プリント等が行われ、さらに、所定の識別情報が記録され、キャッシュカード、クレジットカード等として用いられる磁気カードであって、記録領域である磁気ストライプ１１ａ，１１ｂ等を備えている。
【００２６】
カード１０は、例えば、コアシートと、コアシートの外面に積層されるオーバーシートと、このオーバーシート上に形成された磁気ストライプ１１ａ，１１ｂと、磁気ストライプ１１ａ，１１ｂを隠蔽するための隠蔽層と、隠蔽層上に形成され、昇華染料の吸収、溶融型リボンの転写性の機能を有する受容層等とを備えている。すなわち、カード１０の表面１０ａは、受容層であり、カード記録装置により、所定のデザイン、キャラクターが印字される印字面となる。
【００２７】
磁気ストライプ１１ａ，１１ｂは、磁気インキをストライプ状に印刷して、所定の識別情報を磁気記録して、機械処理を可能とする層であり、磁性酸化鉄等を顔料として含む磁性インキ等を、オフセット印刷、グラビア印刷、シルクスクリーン印刷等によって印刷して形成する。
【００２８】
カード１０がキャッシュカードとして用いられる場合には、例えば、磁気ストライプ１１ａをキャッシュカード用、磁気ストライプ１１ｂをローンカード用として機能させるために、カード記録装置により、磁気ストライプ１１ａ，１１ｂに異なる所定の識別情報が記録される。なお、磁気ストライプ１１ａ，１１ｂに記録される識別情報（例えば、口座番号、氏名、暗証番号等）は、カード記録装置により記録されるが、カード１０の種別（例えば、シングル又はダブルストライプ、ストライプのパターン等）は、予めカード記録装置やカード１０に記録されている。
【００２９】
このため、カード１０は、その表面１０ａの印字面と、カード１０がカード記録装置に正しく搬送されるときの搬送方向とを間違えないように、カード記録装置にセットする必要がある。例えば、カード１０の搬送方向を逆にして、カード記録装置にカード１０をセットしてしまうと、磁気ストライプ１１ａがローンカード用、磁気ストライプ１１ｂがキャッシュカード用として機能してしまい、お客様がＡＴＭ等で口座から現金を引き出しているつもりであっても、実際は、キャッシングをしてしまう等、不具合が生じてしまう。しかし、カード帯掛け体１００は、後述するように、カード１０の印字面と搬送方向とを間違うことがないので、これらの不具合は生じない。
【００３０】
また、カード１０は、その裏面１０ｂに識別番号１２が印字又は印刷等により表示されている。この識別番号１２は、いわゆる印行名であって、カード１０を製造した製造メーカー名、製造時期等を示しており、在庫管理や不具合あったカードを特定するときに利用される。
【００３１】
図３は、識別シート２０を模式的に示す図である。なお、図３（ａ）は、識別シート２０の表面２０ａを示し、図３（ｂ）は、識別シート２０の裏面２０ｂを示している。
識別シート２０は、カード１０の表面１０ａを覆う大きさを有している。また、識別シート１０は、その表面２０ａに、カード１０の印字面を識別させる印字面表示部２１と、カード１０の搬送方向を識別させるストライプ表示部２２等とを備えている。
さらに、識別シート２０は、その裏面２０ｂに、カード１０の識別番号１２に対応する所定の対応番号２３が示されている。なお、この対応番号２３は、識別番号１２と同一番号だけでなく、識別番号１２と対応するのであれば、適宜の番号、記号、印であってもよい。
【００３２】
印字面表示部２１は、帯状体３０が帯掛け機４０により熱圧着された側（つまり、カード１０の表面１０ａ）を、作業者に識別させるために、「熱圧着部分がこちら側」という表示が示されている。なお、印字面表示部２１は、カード１０の印字面を作業者に識別させることができるのであれば、簡単な記号、印等であってもよい。
【００３３】
ストライプ表示部２２は、カード１０の搬送方向を識別させるための表示であって、例えば、カード１０の磁気ストライプ１１ａの位置に対応する帯状の印が示されている。この帯状の印は、帯掛けを行う製造メーカーが、カード１０の識別番号１２と図３（ｂ）に示す対応番号２３とを合わせた状態で、帯掛け機４０を用いて、カード１０と識別シート２０とを纏めて帯状体３０で帯掛けすることにより、搬送方向を示す指標となる。
具体的には、カード１０の搬送方向に平行な中心線Ａ（図２参照）で、帯状の印がある領域と印がない領域とに区分した場合に、作業者は、この印を、カード１０とフィーダ５０との正常な位置関係（例えば、印がある領域がカード１０の上側にくるように、カード１０をフィーダ５０にセットする等）を保つための指標とすることができる。なお、ストライプ表示部２２は、カード１０の搬送方向を作業者に識別させることができるのであれば、簡単な記号等であってもよい。
【００３４】
また、印字面表示部２１が文字である場合には、この文字が読める方向が搬送方向と識別できるので、ストライプ表示部２２がなくても、印字面表示部２１だけで印字面と搬送方向とを表示することができる。
【００３５】
つぎに、帯状体３０を、帯掛け機４０により熱圧着して、カード１０と識別シート２０とを纏めて帯掛けする動作について説明する。
図４は、帯掛け機４０による帯掛けの動作を説明するための図である。
帯掛け機４０は、開口部４１ａが形成された載置台４１と、載置台４１に移動可能に設けられ、開口部４１ａに蓋をするシャッター４２と、載置台４１の内部に設けられた保持部４３と、この保持部４３に設けられ、開口部４１ａに対して接近又は離れるように移動可能な押圧部材４３ａと、帯状体３０に対して接近又は離れるように移動可能であって、帯状体３０を所定の位置で切断するカッター４４ａを保持するカッター保持部４４と、帯状体３０を送り出すと共に、たるみを防止するフィードローラ４５等とを備えている。
【００３６】
まず、帯掛け機４０は、図４（ａ）に示すように、シャッター４２を開いて、フィードローラ４５を回転させて、帯状体３０を送り出す。送り出された帯状体３０は、開口部４１ａを経由して、不図示の案内部により、積み重ねられたカード１０と、このカード１０の最表面（ここでは、載置台４１側）に配置された識別シート２０との外周に、緩く巻き付く。
また、このカード１０と識別シート２０とは、作業者が、識別シート２０の裏面２０ｂに示された対応番号２３と、カード１０の裏面１０ｂに示された識別番号１２とを位置合わせすることにより、正しい状態で積み重ねられる。
【００３７】
つぎに、帯掛け機４０は、図４（ｂ）に示すように、フィードローラ４５を逆回転させて、カード１０と識別シート２０とを纏めて帯掛けできるように、帯状体３０のたるみをとると共に、保持部４３から押圧部材４３ａを進出させ、帯状体３０に押圧して、その押圧部材４３ａの熱と圧力とにより、帯状体３０の一端部付近と他端部付近とを熱圧着する。
さらに、帯状体３０の端辺３０ａから一定幅の部分を、剥離開始部３２とするために、カッター保持部４４からカッター４４ａを進出させ、帯状体３０に接触させる。
【００３８】
帯掛け機４０は、図４（ｃ）に示すように、カッター４４ａにより、帯状体３０を切断した後に、カッター４４ａをカッター保持部４４に退避させ、さらに、押圧部材４３ａを保持部４３に退避させ、シャッター４２を移動させて開口部４１ａに蓋をする。
これにより、帯掛けを行う製造メーカーは、帯掛け機４０を用いて、カード１０と識別シート２０とを纏めて帯状体３０で帯掛けすることができ、正常なカード帯掛け体１００を製造することができる。
【００３９】
図５は、本発明によるカード帯掛け体１００を、カード記録装置のフィーダ５０にセットした状態を示す概略図である。なお、図５（ａ）は、この状態を示す上面図であり、図５（ｂ）は、図５（ａ）のｂ−ｂ断面図である。以下では、カード記録装置のフィーダ５０に、銀行の行員がカード１０をセットする場合について説明する。
フィーダ５０は、不図示のカード記録装置にカード１０を供給するための装置であって、開口部５１ａが形成された基台５１と、不図示の支持部により回転可能に支持され、その周縁がカード１０に接触するローラ５４と、基台５１に略垂直に立設した４つの支柱５２，５３等とを備えている。
支柱５３は、カード記録装置側に配置されており、その下部には、カード１０の１枚分の厚さよりも大きく、２枚分よりも小さいカード供給口５３ａが形成されている。
【００４０】
つぎに、カード帯掛け体１００を、カード記録装置のフィーダ５０にセットし、帯状体３０を剥離する方法について説明する。
まず、行員は、カード１０が複数（例えば、５０枚）積み重ねられ、その最表面に識別シート２０が配置され、帯状体３０により帯掛けされたカード帯掛け体１００を、両手（又は片手）でつかみ、識別シート２０の印字面表示部２１とストライプ表示部２２とを視認して、カード１０の印字面と搬送方向とを正しい状態にして、支柱５２，５３に囲まれた領域である基台５１の上に、カード帯掛け体１００を載置する。
【００４１】
つぎに、行員は、識別シート２０を一方の手の指で押さえながら、他方の手の指の爪等で帯状体３０の剥離開始部３２を引っ掛けて、帯状体３０を剥離する。もし、熱圧着部分３１が強固に圧着しており、剥離開始部３２で帯状体３０を剥離することができなかった場合には、切断開始部３３を他方の手の指でつかみ、そのまま切込み方向に沿って引っ張ることで、帯状体３０を確実に切断する。なお、行員は、支柱５２，５３間に形成された隙間から、その両手を基台５１上の領域に入れることができる。
さらに、行員は、剥離又は切断された帯状体３０を、他方の手の指でつかんで、カード帯掛け体１００から抜き取る。そして、行員は、一方の手の指で、識別シート２０をつかみ、カード１０の最表面から取り去る。
【００４２】
これにより、カード１０は、たとえ、行員がカードの扱いに不慣れであっても、カード１０の印字面に指を触れずに、カード１０の印字面と搬送方向とを間違うことなく、フィーダ５０に正しくセットされる。そして、カード１０は、ローラ５４の回転に伴って、カード供給口５３ａを１枚ずつ通過して、カード記録装置に供給される。
【００４３】
このように、カード帯掛け体１００によれば、以下のような効果がある。
（１）識別シート２０が、カード１０の最表面に配置され、カード１０の表面１０ａを覆っているので、帯状体３０の剥離開始部３２又は切断開始部３３により帯状体３０を剥離又は切断する場合に、作業者は、カード１０の印字面に指を触れることがなく、カード１０の印字面の印字適性が低下しないようにでき、また、帯掛け機４０により帯掛けを行う場合に、帯掛け機４０の押圧部材４３ａの熱や圧力からカード１０を保護することができ、さらに、帯掛け機４０の駆動機構の油等がカード１０に付着しないようにできる。
（２）識別シート２０が印字面表示部２１とストライプ表示部２２とを有しているので、カード１０の印字面と搬送方向とが示され、カード１０の取り扱いに不慣れな作業者であっても、カード１０の印字面と搬送方向とを間違うことなく、フィーダ５０にカード１０をセットすることができる。
（３）識別シート２０の裏面２０ｂに対応番号２３が示されているので、製造メーカーは、帯掛け機４０によりカード１０を帯掛けする場合に、カード１０の印字面と搬送方向とを間違うことなく、帯掛けすることができ、正常なカード帯掛け体１００を製造することができる。
【００４４】
（変形例）
以上説明した実施例に限定されることなく、種々の変形や変更が可能であって、それらも本発明の均等の範囲内である。
カード帯掛け体１００は、フィーダ５０に１つだけセットするようにしたが、これに限られず、カード帯掛け体１００から帯状体３０と識別シート２０とを取り去った後に、その上側に、他のカード帯掛け体１００を積み重ねてもよい。
このようにすれば、大量のカード１０を正しくフィーダ５０にセットすることができ、作業効率を向上させることができる。
【図面の簡単な説明】
【００４５】
【図１】本発明によるカード帯掛け体１００を模式的に示す図である。
【図２】カード１０を模式的に示す図である。
【図３】識別シート２０を模式的に示す図である。
【図４】帯掛け機４０による帯掛けの動作を説明するための図である。
【図５】本発明によるカード帯掛け体１００を、カード記録装置のフィーダ５０にセットした状態を示す概略図である。
【符号の説明】
【００４６】
１０    カード
１１ａ，１１ｂ    磁気ストライプ
１２    識別番号
２０    識別シート
２１    印字面表示部
２２    ストライプ表示部
２３    対応番号
３０    帯状体
３１    熱圧着部
３２    剥離開始部
３３    切断開始部
４０    帯掛け機
５０    フィーダ
１００    カード帯掛け体
【図１】
2006027669.tif 000003
【図２】
2006027669.tif 000004
【図３】
2006027669.tif 000005
【図４】
2006027669.tif 000006
【図５】
2006027669.tif 000007